(57)【要約】【課題】  開いた状態でテーブルなどの上に安定的に載置することができ、また、従来にない斬新なデザインの開閉機構を備えた携帯情報端末装置を提供する。【解決手段】  ガイドレール３１は、レール方向をキーパッド上下方向として下筐体２に設けられる。スライダーガイド３２は、一端側にはガイドレール３１に摺動自在に係合したスライド部が形成されている。他端側には上筐体３のメインディスプレイ下方側に回動自在に取付けられた回動部が形成されている。リフトガイド４１は、一端側が下筐体２のキーパッド上方側と回動自在に取付けられている。他端側は上筐体３背面側と回動自在に取付けられている。この両回動中心間の長さは、スライド部、回動部間の長さより長く形成されている。【選択図】    図５
2006186699.tif 000002
【特許請求の範囲】
【請求項１】
前面にキーパッドが設けられた下筐体と、
前面にメインディスプレイが設けられた上筐体と、
レール方向を前記キーパッド上下方向として前記下筐体に設けられたガイドレールと、
一端側には前記ガイドレールに摺動自在に係合したスライド部が形成され、他端側には前記上筐体の前記メインディスプレイ下方側に回動自在に取付けられた回動部が形成され、前記メインディスプレイ下方側を前記下筐体前面に沿って移動させるスライダーガイドと、
一端側が前記下筐体の前記キーパッド上方側と回動自在に取付けられ、他端側が前記上筐体背面側と回動自在に取付けられていて、前記スライド部の移動位置に応じて前記上筐体を前記下筐体前面上で起倒させるリフトガイドと、
を備えた携帯情報端末装置。
【請求項２】
前記ガイドレール及び前記スライド部は前記下筐体内に収納され、
前記スライダーガイドの前記回動部側は前記下筐体前面に形成された長溝から下筐体外部に延出した、請求項１に記載の携帯情報端末装置。
【請求項３】
前記ガイドレール内には前記スライド部に当接して押圧する弾性部材が設けられた、請求項１又は２に記載の携帯情報端末装置。
【請求項４】
前記下筐体前面及び前記上筐体背面にはそれぞれ凹部が形成され、
前記リフトガイドは前記各回動中心がそれぞれ前記凹部内に設けられた、請求項１〜３のいずれかの一項に記載の携帯情報端末装置。
【請求項５】
前記下筐体内の電子部品と前記上筐体内の電子部品とを接続する配線は前記リフトガイド内を挿通している、請求項１〜４のいずれかの一項に記載の携帯情報端末装置。
【請求項６】
前記下筐体前面の凹部には案内音声用のスピーカーが設けられた、請求項４に記載の携帯情報端末装置。
【請求項７】
前記下筐体には送話用マイクが設けられ、
前記上筐体には受話用スピーカーが設けられた、請求項１〜６のいずれかの一項に記載の携帯情報端末装置。
【発明の詳細な説明】
【技術分野】
【０００１】
本発明は、携帯情報端末装置に関するものであり、携帯電話機及びＰＨＳ（Personal Handy Phone System）及びＰＤＡ（Personal Digital Assistant）等を含む。詳しくは、携帯情報端末装置の上筐体と下筐体の開閉機構に関する。
【背景技術】
【０００２】
従来の携帯電話機の上筐体と下筐体との開閉機構としては、図８に示すクラムシェルタイプのものと、図９に示すスライドタイプのものが主流である。
【０００３】
クラムシェルタイプは、図８に示すように、下筐体１０１のキーパッド１０２上端側と上筐体１０３のメインディスプレイ１０４下端側とが連結部１０５で開閉自在に連結され、図８（ａ）の閉じた状態から、図８（ｂ）のように開いた状態にすることができる（特許文献１）。
【０００４】
また、スライドタイプは、図９（ａ）に示すように、閉じた状態では下筐体１１１の上にメインディスプレイ１１４を上にして上筐体１１３が重なった状態から、下筐体１１１のキーパッド１１２上を上筐体１１３の背面がスライド移動して、図９（ｂ）のように開いた状態となる。
【特許文献１】特開２００１−１６５１４４
【発明の開示】
【発明が解決しようとする課題】
【０００５】
ところで、近年の携帯電話機は多機能化が進み、ＴＶ放送を受信してメインディスプレイでＴＶ放送を視聴できる製品が現れている。
【０００６】
このようなＴＶ放送の視聴に携帯電話機を用いる場合、テーブルなどの上に携帯電話機を載置し、複数人で視聴することが考えられる。
【０００７】
そして、このような用途で携帯電話を用いる場合は、テーブルなどの上に載置した状態でメインディスプレイの画面がある程度立ち上がった状態になければならないので、前述のクラムシェルタイプの携帯電話が適しているといえる。
【０００８】
しかしながら、元来が手に持って使用されることを想定して設計されている携帯電話機においては、下筐体１０１の長さ方向一端側の１箇所の連結部１０５のみで上筐体１０３全体を支えるため、前述のクラムシェルタイプの携帯電話機ではテーブルなどの上にそのまま載置した状態では不安定であり、多少の傾斜や振動で倒れてしまう恐れがある。
【０００９】
また、近年は携帯電話機にデザイン性も求められており、上筐体と下筐体の開閉機構も、このデザイン性の重要な要素をなすものである。そのため、クラムシェルタイプやスライドタイプ以外の斬新な開閉機構を備えた携帯電話機が望まれている。
【００１０】
そこで、本発明の目的は、開いた状態でテーブルなどの上に安定的に載置することができ、また、従来にない斬新なデザインの開閉機構を備えた携帯情報端末装置を提供することである。
【課題を解決するための手段】
【００１１】
本発明は、前面にキーパッドが設けられた下筐体と、前面にメインディスプレイが設けられた上筐体と、レール方向を前記キーパッド上下方向として前記下筐体に設けられたガイドレールと、一端側には前記ガイドレールに摺動自在に係合したスライド部が形成され、他端側には前記上筐体の前記メインディスプレイ下方側に回動自在に取付けられた回動部が形成され、前記メインディスプレイ下方側を前記下筐体前面に沿って移動させるスライダーガイドと、一端側が前記下筐体の前記キーパッド上方側と回動自在に取付けられ、他端側が前記上筐体背面側と回動自在に取付けられていて、前記スライド部の移動位置に応じて前記上筐体を前記下筐体前面上で起倒させるリフトガイドと、を備えた携帯電話機である。
【発明の効果】
【００１２】
本発明によれば、ガイドレール中でスライド部を移動させることにより、上筐体のメインディスプレイ下方側を下筐体側として、リフトガイドにより上筐体を下筐体前面上で起倒させることができる。
【００１３】
そして、上筐体を開いて下筐体前面上に起立させても、上筐体はスライダーガイドとリフトガイドの２点で下筐体上に支持され、その起立時の重心移動が少ないので、下筐体背面を下にしてテーブルなどの上に載置しても安定性がよく、容易には倒れない。
【００１４】
また、本発明の上筐体と下筐体との開閉機構は、従来のクラムシェルタイプやスライドタイプとは異なる機構であり、その開閉動作の動きも異なり、従来にない斬新なデザインの開閉機構を備えた携帯電話機を提供することができる。
【発明を実施するための最良の形態】
【００１５】
以下、本発明を実施するための最良の一形態について説明する。図１は、本実施形態の携帯電話機の外観構造を示すもので、（ａ）は閉じた状態の斜視図、（ｂ）は開いた状態の前面側から見た斜視図、（ｃ）は開いた状態の背面側から見た斜視図である。
【００１６】
本実施形態の携帯電話機１は、本発明の携帯電話機を実施するもので、下筐体２と上筐体３とから構成される。下筐体２の前面１１には、各種の操作キーから構成されるキーパッド１２と、送話用マイク１３とが設けられている。上筐体３の前面２１には、液晶パネル等からなるメインディスプレイ２２と、受話用スピーカー２３とが設けられている。
【００１７】
次に、下筐体２と上筐体３の開閉機構について説明する。図１において、下筐体２前面１１のキーパッド１２両側には、それぞれ長溝１４がキーパッド１２上下方向を長さ方向として形成されている。
【００１８】
そして、各長溝１４下の下筐体２内部には、図２に示すガイドレール３１が、そのレール方向をキーパッド１２上下方向として設けられている。
【００１９】
また、携帯電話機１には、図２、図３に示すようなスライダーガイド３２が一対設けられている。この各スライダーガイド３２には、その一端側で両側に張り出してガイドレール３１に摺動自在に係合するスライド部３３が形成されている。このスライド部３３も下筐体２内にガイドレール３１とともに収納されている。
【００２０】
また、図２に示すように、各スライダーガイド３２の他端側は、各長溝１４を挿通して下筐体２外部に延出している。そして、この各スライダーガイド３２は上筐体３の背面下端側に設けられた各開口２４を挿通しており、各スライダーガイド３２のスライド部３３とは反対側の端部には回動部３４が設けられている。この回動部３４は上筐体３に収納されている。
【００２１】
各回動部３４の両側からは円筒状の回動ピン３５が延出していて、上筐体３内に設けられた孔２５に回動自在に嵌合している。このような、一対のスライダーガイド３２による下筐体２と上筐体３の連結機構により、上筐体３のメインディスプレイ２２下方側は、下筐体２の前面１１（キーパッド１２）に沿って移動することができる。
【００２２】
次に、リフトガイド４１の取付構造について説明する。図４は、リフトガイド４１の取付構造について説明する携帯電話機１の背面図である。図４に示すように、上筐体３の背面２６の上部から中央部にかけて凹部２７が形成され、その凹部２７の中央部両側には一対の孔２８が形成されている。リフトガイド４１は長板状の部材であり、その一端側４２両側からは、それぞれ回動ピン４３が延出していて、各回動ピン４３は各孔２８に回動自在に嵌合している。
【００２３】
また、下筐体２前面１１のキーパッド１２上方側には、凹部３０が形成され、その凹部３０の中央部両側には一対の孔２９が形成されている。リフトガイド４１の他端側４４両側からは、それぞれ回動ピン４５が延出していて、各回動ピン４５は各孔２９に回動自在に嵌合している。
【００２４】
そして、リフトガイド４１の両端部４２，４４の各回動中心間の長さは、スライド部３３、回動部３４間の長さより十分に長い。
【００２５】
次に、以上のようなスライダーガイド３２、リフトガイド４１による下筐体２と上筐体３との開閉機構の作用について、図５、図６を参照して説明する。
【００２６】
図５、図６（ａ）〜（ｅ）は、いずれも携帯電話機１の側面図である。図５、図６の（ａ）〜（ｅ）は、スライド部３３を回動ピン４５側に近づけていったとき（矢印Ｌ方向）の携帯電話機１の動作を示している。携帯電話機１は、スライド部３３の位置により、下筐体２に対して上筐体３を起倒させることができる。
【００２７】
同図で明らかなように、図５（ａ）は、携帯電話機１を完全に閉じた図１（ａ）の状態を示しており、上筐体３は前面２１（メインディスプレイ２２側）を上として、下筐体２の前面１１上（キーパッド１２上）に完全に重ねあわされた状態にあり、リフトガイド４１は凹部２７，３０内に収納される。
【００２８】
そして、スライド部３３を回動ピン４５側に近づけていくにつれて、回動ピン４３,４５間の長さと回動部３４、回動ピン４３間の長さの合計より、スライド部３３、回動ピン４５間の間隔が狭まっていき、リフトガイド４１により、回動ピン３５を回動中心として下筐体２に対し上筐体３のメインディスプレイ２２側が徐々に立ち上げられる。図６（ｃ）の状態が、上筐体３が最も高く立ち上がった状態を示している。
【００２９】
さらにスライド部３３を回動ピン４５側に近づけていくと、今度は図６（ｃ）の状態から上筐体３のメインディスプレイ２２側が下がっていき（図６（ｄ））、上筐体３が完全に倒れて下筐体２と上筐体３とが完全に開いた状態となる（図６（ｅ））。この状態では、上筐体３の背面が下筐体２の前面１１に完全に接し、リフトガイド４１は凹部２７，３０内に収納される。
【００３０】
携帯電話機１をテーブルなどに載置して、メインディスプレイ２２で複数人がＴＶを視聴する場合などには、図６（ｃ）のような状態に携帯電話機１を開けばよい。この場合に、前述した従来のクラムシェルタイプの携帯電話機では、図８（ｂ）に示すような状態に開いたときに、下筐体１０１のキーパッド１０２上端側の１箇所の連結部１０５で上筐体１０３全体を支えるため、テーブルなどの上にそのまま載置した状態では不安定であり、多少の傾斜や振動で倒れてしまう恐れがある。
【００３１】
これに対し、本実施形態の携帯電話機１では、このような状態に開いたときでも、上筐体３はスライド部３３、回動部３４により下筐体２に支持される。すなわち、下筐体２の長さ方向の２点（長さ方向の一端部と中間部）で支持されるのであり、クラムシェルタイプの携帯電話機のように、長さ方向の端部の１点のみで下筐体１０１が上筐体１０３を支持する構造ではない。
【００３２】
このとき、携帯電話機１を開くことによる重心の移動量を従来のクラムシェルタイプ及びスライドタイプと比較して小さくすることができるため、図６（ｃ）のような状態に開いてテーブルなどの上にそのまま載置しても、携帯電話機１は安定性があり、容易に倒れることがない。
【００３３】
また、図５、図６に明らかなように、本実施形態の携帯電話機１は、完全に閉じた状態では（図５（ａ））、下筐体２と上筐体３とは前述した従来のスライドタイプの携帯電話機と同様な位置関係（図８（ａ））になる。また、完全に開いた状態も（図６（ｅ））、下筐体２と上筐体３とは前述した従来のスライドタイプの携帯電話と同様な位置関係（図８（ｂ））になり、電話をかけることができる。
【００３４】
しかし、図５（ａ）の状態から上筐体３を開いていくにつれて、前述した図５、図６の（ａ）〜（ｅ）の動きをすることは従来の携帯電話機にはないものであり、クラムシェルタイプやスライドタイプ以外の斬新な開閉機構を備えた携帯電話機を提供することができる。
【００３５】
ところで、ガイドレール３１及びスライダーガイド３２は、下筐体２、上筐体３の外面、例えば、両側部に設けるようにしてもよい。しかしながら、本実施形態では、これらを下筐体２、上筐体３の内部に収納したので、スライダーガイド３２の動きによりスライダーガイド３２と下筐体２、上筐体３との間に物が挟まってしまうようなことがない。
【００３６】
また、ガイドレール３１及びスライダーガイド３２が筐体外にむき出しにならないので、携帯電話機１の外観が見た目にすっきりしていて、美観的にも優れているといえる。
【００３７】
さらに、スライダーガイド３２が凹部２７，３０内に収納されるので、図５（ａ）、図６（ｅ）の状態で、上筐体３の背面が下筐体２の前面１１に完全に重なった状態にすることができ、スライドタイプと同様の開状態、閉状態を実現できる。よって、図５（ａ）の閉じた状態では、携帯電話機１をコンパクトに収納することができる。
【００３８】
また、図３に示すように、ガイドレール３１内、例えば、その底面のレール方向１又は複数箇所にはスライド部３３に当接してスライド部３３を弾性的に押圧する弾性部材からなるストッパー３６を設けてもよい。本実施形態では、長板状の板バネ３７を、その長さ方向の複数箇所で折り曲げて複数個のストッパー３６を形成している。
【００３９】
このようにストッパー３６を設けることで、当該ストッパー３６上にスライド部３３が位置するとスライダーガイド３２（下筐体２）の動きが重くなり、当該位置で下筐体２を軽く固定支持することができる。そして、ストッパー３６の位置をスライド部３３が乗り越えると動きが再度軽くなるので、ユーザはクリック感を得て、触感的に下筐体２の停止位置を知ることができる。
【００４０】
なお、具体的なストッパー３６の取り付け位置としては、完全に閉じた位置（図５（ａ））、完全に開いた位置（図６（ｅ））、上筐体３が最も高く立ち上がった位置（図５（ｃ））の３箇所に設けることが考えられる。
【００４１】
携帯電話機１の着信音、操作音などを発する案内音声用のスピーカー５１は、図１（ｃ）に示すように、下筐体２の凹部３０内に設けられている。
【００４２】
すなわち、携帯電話機１は、狭い表面積の中にキーパッド１２、メインディスプレイ２２、受話用スピーカー２３、送話用マイク１３の他、図示しないコネクタ、赤外線通信用素子、カメラレンズ、サブディスプレイなども配置している。そして、キーパッド１２、メインディスプレイ２２、受話用スピーカー２３、送話用マイク１３などは、スライダーガイド３２が邪魔になるため凹部３０内には設けられないが、案内音声用のスピーカー５１であれば、スライダーガイド３２が邪魔になっても使用上問題ないため、凹部３０内に設けることができる。
【００４３】
そこで、キーパッド１２、メインディスプレイ２２、受話用スピーカー２３、送話用マイク１３などは設けることができない凹部３０内にスピーカー５１を設けることで、携帯電話機１の狭い表面積を有効活用して、各部材を効果的に配置することができる。
【００４４】
図７は、携帯電話機１の電気的な接続を説明する概念図である。図７に示すように、下筐体２内には、キーパッド１２の他にも、メイン基板６１、バッテリー６２などの様々な電子部品が収納され、上筐体３内にも、メインディスプレイ２２の他にサブ基板６３などの様々な電子部品が収納されている。そして、下筐体２内の電子部品と上筐体３内の電子部品とは配線で接続しなければならない。
【００４５】
そこで、本実施形態では、メイン基板６１とサブ基板６３とをフレキシブルプリント配線基板６４を配線として用いて接続しているが、この配線は、図７に示すように、上筐体３と下筐体２との間ではリフトガイド４１内を挿通している。
【００４６】
このような配線は、スライダーガイド３２内を挿通させることも可能であるが、スライダーガイド３２は下筐体２内を移動するため、下筐体２内の配線を必要以上に長くする必要があり、しかも、この配線は下筐体２内を移動するので、移動スペースを確保しないと配線自体が痛みやすい。よって、配線は、上筐体３と下筐体２との間ではリフトガイド４１内に収納するのが、配線自体の保護、下筐体２内スペースの有効活用の点から望ましい。
【００４７】
なお、ここまで本発明の携帯情報端末装置を携帯電話機１に適用した例について説明したが、本発明の携帯情報端末装置は、携帯電話機への適用に限定されるものではなく、ＰＨＳ、ＰＤＡなど、様々なタイプの携帯情報端末装置に適用することができる。
【図面の簡単な説明】
【００４８】
【図１】本発明の一実施形態の携帯電話機の外観構造を示すもので、（ａ）は閉じた状態の斜視図、（ｂ）は開いた状態の前面側から見た斜視図、（ｃ）は開いた状態の背面側から見た斜視図である。
【図２】スライダーガイドが係合した状態のガイドレールの斜視図である。
【図３】スライダーガイドの斜視図である。
【図４】リフトガイドの取付構造について説明する携帯電話機の背面図である。
【図５】携帯電話機の動作を説明する側面図である。
【図６】携帯電話機の動作を説明する側面図である。
【図７】携帯電話機の配線について説明する概念図である。
【図８】従来のクラムシェルタイプの携帯電話機の閉じたとき（ａ）、開いたとき（ｂ）の斜視図である。
【図９】従来のスライドタイプの携帯電話機の閉じたとき（ａ）、開いたとき（ｂ）の斜視図である。
【符号の説明】
【００４９】
１  携帯電話機
２  下筐体
３  上筐体
１１  下筐体前面
１２  キーパッド
１３  送話用マイク
１４  長溝
２１  上筐体前面
２２  メインディスプレイ
２３  受話用スピーカー
２７  凹部
３０  凹部
３１  ガイドレール
３２  スライダーガイド
３３  スライド部
３４  回動部
３６  弾性部材
４１  リフトガイド
５１  スピーカー
６４  フレキシブルプリント配線基板
【図１】
2006186699.tif 000003
【図２】
2006186699.tif 000004
【図３】
2006186699.tif 000005
【図４】
2006186699.tif 000006
【図５】
2006186699.tif 000007
【図６】
2006186699.tif 000008
【図７】
2006186699.tif 000009
【図８】
2006186699.tif 000010
【図９】
2006186699.tif 000011